(57)【要約】【課題】外出の際に小物類を従来よりも粋な感じで携行することができるものを提供しようとするもの。【解決手段】首から前下方に垂らした両下端域のうち少なくともいずれか一方には小物類２を下向きに入れて収容できるポケット部３が形成されると共に、前記下端域が胸部よりも下方に至るような長さに設定された。この携行タオルは、首から前下方に垂らした両下端域のうち少なくともいずれか一方に形成されたポケット部に小物類を収容することができるので、外出の際にわざわざセカンドバッグを携行する必要はない。【選択図】        図２
2004209121.tif 000002
【特許請求の範囲】
【請求項１】
首から前下方に垂らした両下端域のうち少なくともいずれか一方には小物類を下向きに入れて収容できるポケット部が形成されると共に、前記下端域が胸部よりも下方に至るような長さに設定されたことを特徴とする携行タオル。
【請求項２】
首から前下方に垂らした両下端域の双方にポケット部が形成された請求項１記載の携行タオル。
【発明の詳細な説明】
【０００１】
【発明の属する技術分野】
この発明は、外出する際などに用いる携行タオルに関するものである。
【０００２】
【従来の技術】
従来より、外出する際に財布その他の小物類を収容するためにセカンドバッグが使用されている（例えば、特許文献１参照）。
【０００３】
このセカンドバッグは、財布と小物入れの機能を併せ持ち、外出時に必要な一そろいのものを整理して収容することができると共に、買い物などで頻繁に用いる硬貨だけを容易に出し入れすることができる、というものである。
【０００４】
しかし、スポーツのシーンやほんのちょっとした外出（例えば近所のコンビニアンス・ストア）の際にもわざわざセカンドバッグを携行するというのは何となく野暮ったくあまり粋ではないという問題があった。
【０００５】
【特許文献１】
登録実用新案第３０６０５０９号公報（第７頁、図１〜５）
【０００６】
【発明が解決しようとする課題】
そこでこの発明は、外出の際に小物類を従来よりも粋な感じで携行することができるものを提供しようとするものである。
【０００７】
【課題を解決するための手段】
前記課題を解決するためこの発明では次のような技術的手段を講じている。
▲１▼  この発明の携行タオルは、首から前下方に垂らした両下端域のうち少なくともいずれか一方には小物類を下向きに入れて収容できるポケット部が形成されると共に、前記下端域が胸部よりも下方に至るような長さに設定されたことを特徴とする。
【０００８】
この携行タオルは、首から前下方に垂らした両下端域のうち少なくともいずれか一方（タオルの表面側でも裏面側でもよいが表面側の方が小物類の出し入れがし易い）に形成されたポケット部に小物類を収容することができるので、外出の際にわざわざセカンドバッグを携行する必要はない。また、前記ポケット部は小物類を（横向きや斜め向きではなく）下向きに入れて収容できるように形成されたので、小物類の出し入れがし易く且つ不測の脱落・紛失もし難い。さらに、その下端域が胸部よりも下方に至るような長さに設定されたので、首に掛けた際になかなかずれ難い（短か過ぎると左右にずれ易くなる）。なお、前記下端域が胸部よりも下方から腰部の高さくらい迄に位置するように長さを設定すると、丁度腕の位置からして小物類の出し入れがし易く非常に使い勝手がよいものとなる。
【０００９】
ここで前記小物類として、小銭入れ、携帯電話、タバコ、化粧用品（コンパクト等）、コンパクト・カメラなどを例示することができる。
▲２▼  首から前下方に垂らした両下端域の双方にポケット部が形成されたこととしてもよい。
【００１０】
このように構成すると、首から前下方に垂らして両下端域の双方のポケット部にそれぞれ小物類を収容すると首から掛けた際の重量バランスがうまくとれ易く左右にずれ難く違和感を感じ難くなる。
【００１１】
【発明の実施の形態】
以下、この発明の実施の形態を図面を参照して説明する。
（実施形態１）
図１及び図２に示すように、この実施形態の携行タオル１（パイル地）は、首から前下方に垂らした両下端域の双方に小物類２（図２参照）を下向きに入れて収容できるポケット部３を形成している。ポケット部３はタオルの表面側でも裏面側でもよいが、表面側の方が小物類２の出し入れがし易い。
【００１２】
前記ポケット部３は、これを形成する生地４を下端域の三方のコの字状の端辺５で縫合することにより形成している。このポケット部３の上端の開放辺６では、面係着テープの一対の正方形状の小片７を縫着して簡単な開閉ができるようにしている。
【００１３】
この携行タオル１は、首から前下方に垂らすと下端域が胸部よりも下方に至るような長さに設定している。具体的には、前記下端域が胸部よりも下方であって、腰部の高さくらい迄に位置するように長さを設定している。数値的には、長さ（全長）が１２０ｃｍで幅が２０ｃｍ、ポケット部３の長さが２０ｃｍに設定した。
【００１４】
また前記小物類２として、例えば小銭入れ８、携帯電話９、メガネ１０、貴重品、タバコ、化粧用品（コンパクト等）、コンパクト・カメラ、メモなどを収容することができる。なお、湿気を嫌う小物を入れる場合は、開閉自在なビニール袋（図示せず）を併用してポケット部３に収容すればよい。
【００１５】
次に、この実施形態の携行タオル１の使用状態を説明する。
【００１６】
この携行タオル１は、首から前下方に垂らした両下端域に形成されたポケット部３に小物類２を収容することができるので、ゴルフやテニス、散歩、コンビニアンス・ストア等への買い物などの外出の際にわざわざセカンドバッグを携行する必要はなく、小物類２を従来よりも粋な感じで携行することができるという利点がある。すなわち、外出の際のさりげなさや粋な感じが大きな魅力である。
【００１７】
また、雨が降ってもセカンドバッグなどと異なり両手がフリーであり非常に便利である。この携行タオル１は、夏は汗拭きや首筋の日焼け防止として、冬は防寒マフラーとして、春秋はファッションとして季節を選ばずに使用することができる。
【００１８】
ここで、前記ポケット部３は小物類２を（横向きや斜め向きではなく）下向きに入れて収容できるように形成されたので、小物類２の出し入れがし易く且つ不測の脱落・紛失もし難いという利点がある。
【００１９】
さらに、その下端域が胸部よりも下方に至るような長さに設定されたので、首に掛けた際になかなかずれ難いという利点がある（短か過ぎると左右にずれ易くなる）。そのうえ、前記下端域が胸部よりも下方から腰部の高さくらい迄に位置するように長さを設定しており、丁度腕の位置からして小物類２の出し入れがし易く非常に使い勝手がよいという利点がある。
【００２０】
また、首から前下方に垂らして両下端域の双方のポケット部３にそれぞれ小物類２を収容すると首から掛けた際の重量バランスがうまくとれ易く左右にずれ難く違和感を感じ難くなるという利点がある。
（実施形態２）
次に、実施形態２を実施形態１との相違点を中心に説明する。
【００２１】
図３及び図４に示すように、首から前下方に垂らした両下端域のうち、片方にポケット部３を形成している。そして小物類２として、小銭入れ８、携帯電話９を収容している。
【００２２】
この携行タオル１は、首から前下方に垂らした両下端域のうち片方に形成されたポケット部３に小物類２を収容することができるので、ゴルフやテニス、散歩、コンビニアンス・ストア等への買い物などの外出の際にわざわざセカンドバッグを携行する必要はなく、小物類２を従来よりも粋な感じで携行することができるという利点がある。
【００２３】
【発明の効果】
この発明は上述のような構成であり、次の効果を有する。
【００２４】
この携行タオルによると、外出の際にわざわざセカンドバッグを携行する必要はないので、小物類を従来よりも粋な感じで携行することができる。
【図面の簡単な説明】
【図１】この発明の携行タオルの実施形態１を説明する斜視図。
【図２】図１の携行タオルの使用状態を説明する斜視図。
【図３】この発明の携行タオルの実施形態２を説明する斜視図。
【図４】図３の携行タオルの使用状態を説明する斜視図。
【符号の説明】
２  小物類
３  ポケット部
【図１】
2004209121.tif 000003
【図２】
2004209121.tif 000004
【図３】
2004209121.tif 000005
【図４】
2004209121.tif 000006